(57)【特許請求の範囲】
【請求項１】
ハンドピース本体の先端部に着脱自在に連結され、前記ハンドピース本体からの超音波振動が伝達されるスケーラー用チップであって、該スケーラー用チップは、直線形状の棒状体であって、該棒状体の先端部側において、該棒状体に直交するネジ穴と、該ネジ穴の中心部と交差して前記棒状体に貫通して設けられた複数のファイル挿通用の孔とを有し、前記複数のファイル挿通用の孔の任意所望の孔の１つにファイルを挿通し、前記ネジ穴に螺合する止めネジで前記挿通されたファイルを固定するようにしたことを特徴とするスケーラー用チップ。
【請求項２】
前記ファイル用の孔は、前記棒状体に直交する孔と、前方に向けて傾斜する孔と、後方に向けて傾斜する孔の３つの孔のうちの少なくとも２つの孔から成ることを特徴とする請求項１に記載のスケーラー用チップ。
【請求項３】
前記ネジ穴は、前記ファイル挿通用の孔と交差した直後まで延長したものであることを特徴とする請求項１又は２に記載のスケーラー用チップ。
【請求項４】
ハンドピース本体の先端部に着脱自在に連結され、前記ハンドピース本体からの超音波振動が伝達されるスケーラー用チップであって、該スケーラー用チップは、直線形状の棒状体であって、該棒状体の先端部側において、該棒状体に直交する貫通孔と、該貫通孔の中心部と交差して前記棒状体に貫通して設けられた複数のファイル挿通用の孔と、前記貫通孔内に設けられたファイル固定部材とを有し、該ファイル固定部材は、前記貫通孔の軸方向にばね力に抗して移動可能であって、かつ、前記棒状体に設けられたファイル挿通用の孔に対応するファイル挿通用の孔を有するファイル固定部材を有し、該ファイル固定部材を前記ばね力に抗して押した時に、該ファイル固定部材に設けられた前記ファイル挿通孔と前記棒状体に設けられたファイル挿通孔が協働してファイルの挿通を可能としたことを特徴とするスケーラ用チップ。
【発明の詳細な説明】
【０００１】
【発明の属する技術分野】
本発明は、スケーラー用チップ、より詳細には、現在市場にある歯科用（又は獣医用）超音波スケーラーのハンドピースに取り付けて使用して好適なスケーラー用チップの改良に関する。
【０００２】
【従来の技術】
図５は、従来のスケーラー用チップの一例を説明するための要部分解斜視図で、図中、１０はハンドピース本体、１１はスケーラー用チップ、１２はファイル保持具、１３はファイルやプラガー等の作業具（代表して、ファイルと記す）で、周知のように、ハンドピース本体１０の先端部に設けられた雌ネジ部にスケーラー用チップ１１の端部に設けられた雄ネジ部１１ａを螺合して、該スケーラー用チップ１１をハンドピース本体１０に連結して使用するものである。なお、スケーラー用チップ１１の先端部には雄ネジ１１ｂが設けられており、この雄ネジ１１ｂがファイル保持具１２内に設けられた雌ネジと螺合して連結される。このファイル保持具１２には、ファイル１３が挿入されるファイル挿入口を有するファイル固定部１２ａが設けられており、このファイル挿入口にファイル１３の根本部を挿入し、工具１５にて、ファイル固定部１２ａを回すことにより、ファイル１３をファイル保持具１２に固定するようになっている。
【０００３】
【発明が解決しようとする課題】
上述のように、従来、ハンドピース本体１０にスケーラー用チップ１１を取り付け、このチップ１１の先端にファイル保持具１２を取り付け、該ファイル保持具１２にファイル１３を工具１５を用いて取り付けて根管治療や歯垢の除去等を行うようにしているが、チップ１１は、図示のように、曲り部Ａの曲り角度の異なるもの（例えば、１２０゜，１００゜，９０゜等）を複数準備しておき、治療部位により、この曲り角度の違うものに付け替えて使用しなければならず、しかも、ファイルの取り付けには、そのための工具１５を必要とし、これらが術者の作業効率を悪いものにしていた。
【０００４】
本発明は、上述のごとき実情に鑑みてなされたもので、曲り角度の異なる複数のチップを準備しておく必要がなく、従って、チップの付け替え作業が不要で、しかも、１本のチップで２以上の複数の角度をもってファイルを取り付けすることのできるスケーラー用チップを提供することを目的としてなされたものである。
【０００５】
【課題を解決するための手段】
請求項１の発明は、ハンドピース本体の先端部に着脱自在に連結され、前記ハンドピース本体からの超音波振動が伝達されるスケーラー用チップであって、該スケーラー用チップは、直線形状の棒状体であって、該棒状体の先端部側において、該棒状体に直交するネジ穴と、該ネジ穴の中心部と交差して前記棒状体に貫通して設けられた複数のファイル挿通用の孔とを有し、前記複数のファイル挿通用孔の任意所望の孔の１つにファイルを挿通し、前記ネジ穴に螺合する止めネジで前記挿通されたファイルを固定するようにしたことを特徴としたものである。
【０００６】
請求項２の発明は、請求項１の発明において、前記ファイル用の孔は、前記棒状体に直交する孔と、前方に向けて傾斜する孔と、後方に向けて傾斜する孔の３つの孔のうちの少なくとも２つの孔から成ることを特徴としたものである。
【０００７】
請求項３の発明は、請求項１又は２の発明において、前記ネジ穴は、前記ファイル挿通用の孔と交差した直後まで延長したものであることを特徴としたものである。
【０００８】
請求項４の発明は、ハンドピース本体の先端部に着脱自在に連結され、前記ハンドピース本体からの超音波振動が伝達されるスケーラー用チップであって、該スケーラー用チップは、直線形状の棒状体であって、該棒状体の先端部側において、該棒状体に直交する貫通孔と、該貫通孔の中心部と交差して前記棒状体に貫通して設けられた複数のファイル挿通用の孔と、前記貫通孔内に設けられたファイル固定部材とを有し、該ファイル固定部材は、前記貫通孔の軸方向にばね力に抗して移動可能であって、かつ、前記棒状体に設けられたファイル挿通用の孔に対応するファイル挿通用の孔を有するファイル固定部材を有し、該ファイル固定部材を前記ばね力に抗して押した時に、該ファイル固定部材に設けられた前記ファイル挿通孔と前記棒状体に設けられたファイル挿通孔が協働してファイルの挿通を可能としたことを特徴としたものである。
【０００９】
【発明の実施の形態】
図１は、本発明によるスケーラー用チップの一例を説明するための要部分解斜視図で、図１（Ａ）において、１０はハンドピース本体で、該ハンドピース本体１０内には、周知のように、超音波振動子（圧電素子方式或いはエアー方式のもの）が内蔵されており、該超音波振動子が内蔵電池電源或いは外部からの商用電源或いはエアーによって超音波駆動されるようになっている。１は本発明によるスケーラー用チップで、該スケーラー用チップ１は直線形状の棒状体で、その一端には、前記ハンドピース本体１０の先端部内側に設けられた雌ネジと螺合する雄ネジ１ａを具備し、図４に示した従来技術と同様、該雄ネジ１ａをハンドピース本体１０内の雌ネジに螺合することで、該スケーラー用チップ１をハンドピース本体１０に取り付けることができるようになっている。
【００１０】
スケーラー用チップ１の先端側には、該チップ１の軸方向に対して直交してネジ穴１ｂが設けられており、更に、このネジ穴１ｂの中心軸と交差して該ネジ穴１ｂに交差する２以上の複数のネジ孔、例えば、棒状体チップ１に直交するファイル挿通孔１１、前方に向けて傾斜するファイル挿通孔１２、後方に向けて傾斜するファイル挿通孔１３等のうちの、少なくとも２本のファイル挿通孔が設けられている。なお、２は前記ネジ穴１ｂに螺合する雄ネジ２ａを有する止めネジ、４はファイルである。なお、ネジ穴１ｂは、チップ１を貫通して設けてもよいが、好ましくは、図１（Ｂ）に示すように、ファイル挿通孔１１−１３と交差した直後まで延長した穴とし、止めネジ２をネジ込んでも、該止めネジ２の押圧力によってファイル４が変形するような恐れはない。
【００１１】
図２は、スケーラー用チップ１の前記ファイル挿通孔１１〜１３部の断面図で、図示のように、雌ネジ穴１ｂに対して、該雌ネジ穴１ｂの中心軸を通る少なくとも２本のファイル挿通孔が設けられており、第１のファイル挿通孔１１はチップ１の軸に対して直交しており、第２のファイル挿通孔１２はチップ１の軸に対して前方に向けて傾斜し、第３のファイル挿通孔１３は前方より後方に向けて傾斜している。
【００１２】
図３（Ａ），（Ｂ），（Ｃ）は、それぞれ前記ファイル挿通孔１１〜１３にファイル４を挿通した時の状態を示す図で、図３（Ａ）は挿通孔１１にファイル４を挿通し、止めネジ２で固定した時の図、図３（Ｂ）は挿通孔１２にファイル４を挿通して止めネジ２で固定した時の図、図３（Ｃ）は挿通孔１３にファイル４を挿通して止めネジ２にて固定した時の図で、本発明によると、単一の直線棒状のチップ１を用いて、ファイル４の向きを所望の方向に向けて固定することができ、図５に示した従来技術のように、曲り角度の異なる複数のチップを準備しておく必要はなく、また、従来技術で必要としたファイルを保持するファイル保持具やファイル固定用の工具を必要とせず、本発明による止めネジ２は、常時、チップ１に螺着されているので、単に、該止めネジ２を締めたり緩めたりするだけで、ファイル４をチップ１に固定し或いは取り外すことができるので、非常に操作性がよく、作業効率が向上する。
【００１３】
図４は、本発明によるスケーラー用チップの他の実施例を説明するための要部構成図で、図中、図１に示した実施例と同様の作用をする部分には、図１の場合と同一の参照番号を付し、その説明は省略する。而して、図４に示した実施例においては、図１に示したネジ穴１ｂに代って、図４（Ａ）に示すように、貫通孔１ｃが設けられ、この貫通孔１ｃに、図４（Ｂ）、（Ｃ）に示すような、ファイル挿通孔１１〜１３に対応するファイル挿通孔３１〜３３を有するファイル固定部材３ｂを有するファイル固定具３が取り付けられ、該ファイル固定具３に設けられたばね３ｃに抗して図４（Ｄ）に示す操作部３ｄを押したり、放したりすることによって、該ファイル固定部材３ｂが貫通孔１ｃ内で軸方向（矢印Ａ方向）に移動可能で、押した時にファイル４を挿脱可能とし、かつ、放した時に挿入したファイル４を該ばね３ｃによって固定可能にしている。
【００１４】
図４（Ｂ）は、本発明によるファイル固定具３の一実施例を示す斜視図、図４（Ｃ）は、図４（Ｂ）に示したファイル固定具３を図４（Ｂ）のＣ方向から見た図で、図中、３ａは本ファイル固定具３をチップ本体１に設けられた貫通孔１ｃに固定するための固定部材、３ｂはチップ本体１に設けられたファイル挿通孔１１〜１３に対応して設けられたファイル挿通孔３１〜３３を有するファイル固定部材で、これら固定部材３ａとファイル固定部材３ｂとはばね３ｃによって連結されており、ファイル固定部材３ｂは矢印Ａ方向に移動可能となっている。
【００１５】
上述のごときファイル固定具３をチップ本体１に設けられた貫通孔１ｃに矢印Ｂ方向に挿入し、固定部材１ａをチップ本体１に固定させる。ファイル固定部材３ｂは、貫通孔１ｃ内において矢印Ａ方向に移動可能であって、図４（Ｄ）に示すように、貫通孔１ｃから突出している操作部３ｄを押したり、放したりすることによりＡ方向に移動し、押した時に、チップ本体１に設けられたファイル挿通孔１１〜１３とファイル固定部材３ｂに設けられたファイル挿通孔３１〜３３がそれぞれ一致し、この協働状態でファイル４を挿脱することが可能となる。押した力を放すと、ばね３ｃの復元力でファイル挿通孔の位置が一致しなくなる。従って、操作部３ｄを指で押してファイル４を挿入した後、指を放すと（操作部３ｄを押している力を放すと）、ファイル固定部材３ｂはばね３ｃの復元力によって元の位置に戻ろうとし、その力で、ファイル４は挿入された位置に固定される。このようにすれば、図１〜図３に示した実施例のように、ネジ穴や止めネジを使用することなく、単に操作部を押したり放したりするだけで、ファイルを簡単に取り付けることができ、ネジの弛みによるファイルの脱落等の心配もない。
【００１６】
【発明の効果】
以上の説明から明らかなように、本発明によると、直線棒状の１本のチップに対して角度の違う穴が２種類以上ついており、そこにファイルやプラガーをセットすることができ、従って、１本のチップで２種類以上の形態をもつことができ、しかも、ファイルやプラガーの取付には工具を必要とせず、使用勝手が非常によく、術者の作業効率を向上させることができる。
更には、従来技術のように、曲り角度の異なる複数のチップを準備しておく必要はなく、また、従来技術で必要としたファイルを保持するファイル保持具やファイル固定用の工具を必要とせず、本発明によるファイル止めネジやファイル固定具は、常時、チップ１に螺着されているので、単に、該ファイル止めネジを締めたり弛めたりするだけで、或いは、ファイル固定具を押したり放したりするだけで、ファイル４をチップ１に固定し或いは取り外すことができるので、非常に操作性がよく、作業効率が向上する。
【図面の簡単な説明】
【図１】本発明によるスケーラー用チップの一実施例を説明するための要部分解斜視図である。
【図２】本発明によるスケーラー用チップのファイル固定部の断面図である。
【図３】本発明によるスケーラー用チップにファイルを固定した時の各状態例を示す図である。
【図４】本発明によるスケーラー用チップの他の実施例を説明するための要部構成図である。
【図５】従来のスケーラー用チップの一例を説明するための要部分解斜視図である。
【符号の説明】
１…スケーラー用チップ、２…ファイル止めネジ、３…ファイル固定具、４…ファイル、１０…ハンドピース本体。
【図１】
0003625062.tif 000002
【図２】
0003625062.tif 000003
【図３】
0003625062.tif 000004
【図４】
0003625062.tif 000005
【図５】
0003625062.tif 000006